(57)【要約】【課題】表示装置の表示内容を印刷する際に、ユーザが自由にレイアウトを設定できるようにする。【解決手段】表示システムで表示させる表示画面データを保持するための第１のメモリ部と個別に、イメージデータ出力機器１０で印刷される印刷画面データを保持するための第２のメモリ部において、表示システムが予め設定された印刷フォーマットと印字対象項目に基づいて印刷画面データを作成するステップと、表示システムが予め設定された印刷の属性に基づいて作成された印刷画面データをイメージデータに変換するステップと、表示システムがイメージデータをイメージデータ出力機器１０に送信するステップと、イメージデータ出力機器１０が受信したイメージデータに基づいて印刷を実行するステップとを備える印刷方法である。【選択図】　図３
2004094408.tif 000002
【特許請求の範囲】
【請求項１】
通信を介して外部機器と接続され、前記接続された外部機器の状態を表示するための表示部を備えており、さらに外部のイメージデータ出力機器と接続されて所定の内容を出力可能な表示装置であって、
前記表示部で表示させる表示画面データを保持するための第１のメモリ部と、
前記イメージデータ出力機器で出力される印刷画面データを保持するための第２のメモリ部と、
を備えることを特徴とする表示装置。
【請求項２】
受信したイメージデータに基づいて出力可能な出力イメージデータ出力機器と接続可能で、
外部機器とデータのやりとりを行うための通信部と、
前記外部機器から取得した情報に基づいて所定の表示画面を表示するための表示部とを備えており、
前記外部機器から取得した情報に基づき所定の印刷画面を前記イメージデータ出力機器で印刷可能な表示装置であって、
印刷画面のレイアウト情報を含む印刷フォーマット、および表示画面のレイアウト情報を含む表示フォーマットが予め設定されており、前記印刷フォーマットに基づいて印刷対象となるデータを合成し印刷画面データを描画し、さらに表示フォーマットに基づいて表示対象となるデータを合成し表示画面データを描画するための描画部と、
前記表示部に表示画面を表示するために前記描画された表示画面データを保持する第１のメモリ部と、
前記描画された印刷画面データを保持するための第２のメモリ部と、
前記第２のメモリ部に保持された印刷画面データをイメージデータとして出力するためのイメージデータ出力部と、
を備えることを特徴とする表示装置。
【請求項３】
外部機器とデータのやりとりを行うための通信部と、
前記外部機器から取得した情報に基づいて所定の表示画面を表示するための表示部と、
前記外部機器から取得した情報に基づき所定の印刷画面を印刷するための印刷部と、
印刷画面のレイアウト情報を含む印刷フォーマット、および表示画面のレイアウト情報を含む表示フォーマットが予め設定されており、前記印刷フォーマットに基づいて印刷対象となるデータを合成し印刷画面データを描画し、さらに表示フォーマットに基づいて表示対象となるデータを合成し表示画面データを描画するための描画部と、
前記表示部に表示画面を表示するために前記描画された表示画面データを保持する第１のメモリ部と、
前記印刷部で印刷するために前記描画された印刷画面データを保持するための第２のメモリ部と、
前記第２のメモリ部に保持された印刷画面データをイメージデータとして前記印刷部に出力するためのイメージデータ出力部と、
を備えることを特徴とする表示装置。
【請求項４】
前記印刷画面データを表示部にて非表示とすることが可能な請求項１から３のいずれか記載の表示装置。
【請求項５】
前記第１および第２のメモリ部が、それぞれ個別の記憶素子により構成されることを特徴とする請求項１から４のいずれか記載の表示装置。
【請求項６】
前記第１および第２のメモリ部が、同一の記憶素子を共有可能であることを特徴とする請求項１から４のいずれか記載の表示装置。
【請求項７】
前記第１および第２のメモリ部が、同一の記憶素子においてそれぞれ所定の領域に確保されることを特徴とする請求項１から４のいずれか記載の表示装置。
【請求項８】
通信を介して外部機器と接続され、前記接続された外部機器から取得した情報に基づいて所定の表示画面を表示するための表示システムに備えられたイメージデータ出力機器で、前記外部機器から取得した情報と予め設定された印刷フォーマットに基づき所定の印刷画面を印刷する印刷方法であって、
前記表示システムで表示させる表示画面データを保持するための第１のメモリ部と個別に、前記イメージデータ出力機器で印刷される印刷画面データを保持するための第２のメモリ部において、前記表示システムが予め設定された印刷フォーマットと印字対象項目に基づいて印刷画面データを作成するステップと、
前記表示システムが予め設定された印刷の属性に基づいて前記作成された印刷画面データをイメージデータに変換するステップと、
前記表示システムが前記イメージデータを前記イメージデータ出力機器に送信するステップと、
前記イメージデータ出力機器が受信した前記イメージデータに基づいて印刷を実行するステップと、
を備えることを特徴とする印刷方法。
【請求項９】
前記印刷を実行するステップにおいて前記印刷画面データを表示部にて非表示とすることが可能な請求項８記載の印刷方法。
【請求項１０】
前記印刷の属性が、予め設定された条件に合致するとき印字フォーマットを変更する条件であることを特徴とする請求項８または９記載の印刷方法。
【請求項１１】
前記イメージデータ出力機器がサーマルプリンタであることを特徴とする請求項８から１０のいずれか記載の印刷方法。
【請求項１２】
前記イメージデータ出力機器がリムーバブルメディアであることを特徴とする請求項８から１０のいずれか記載の印刷方法。
【請求項１３】
表示システムに備えられたイメージデータ出力機器に出力される印刷画面のフォーマットを設定するための印刷フォーマット作成方法であって、
印刷フォーマットを構成する部品として、予め用意された部品の選択群から所望の部品を選択するステップと、
必要に応じて前記選択された部品の大きさを設定するステップと、
前記選択された部品を所望の位置に配置して印刷フォーマットを構成するステップと、
前記部品に対し所望の機能を割り付けるステップと、
必要に応じて前記部品に属性を設定するステップと、
印刷の属性を設定するステップと、
前記印刷フォーマット作成プログラムで作成された印刷フォーマットを保存し必要に応じて前記表示システムの記憶部に対し送信するステップと、
を備えることを特徴とする印刷フォーマット作成方法。
【請求項１４】
表示システムに備えられたイメージデータ出力機器に出力される印刷画面の印刷フォーマットを設定するための印刷フォーマット作成プログラムであり、コンピュータを
印刷フォーマットを構成する部品として、予め用意された部品の選択群から所望の部品を選択し、所望の位置に配置する手段、
必要に応じて前記部品の大きさを調整する手段、
前記部品に機能を割り当てる手段、
前記部品の属性を設定する手段、
印刷の属性を設定する手段
として機能させるための印刷フォーマット作成プログラムであって、
上記手段によって表示システムの表示部で表示させる表示画面の表示フォーマットを作成することが可能であることを特徴とする印刷フォーマット作成プログラム。
【請求項１５】
表示装置が外部機器およびイメージデータ出力機器とそれぞれ接続され、前記外部機器から取得した情報に基づいてイメージデータ出力機器で印刷される所望の印刷画面を構成する印刷フォーマットを設定するための印刷フォーマット作成プログラムであって、コンピュータに実行させる
前記外部機器の内部状態を取得するための処理と、
前記印刷フォーマットに設定された属性の解釈に関する処理と、
表示装置に設けられたメモリ領域において印刷画像データを描画するための処理と、
が前記外部機器から取得した情報に基づいて前記表示装置に接続された表示部に所定の表示画面を表示するための表示フォーマットを設定するのに必要な各々の処理と共通化されていることを特徴とする印刷フォーマット作成プログラム。
【請求項１６】
表示装置が外部機器およびイメージデータ出力機器とそれぞれ接続され、前記外部機器から取得した情報に基づいてイメージデータ出力機器で印刷される所望の印刷画面を構成する印刷フォーマットを設定するための印刷フォーマット作成プログラムであって、コンピュータに
印刷フォーマットを構成する部品として、予め用意された部品の選択群から所望の部品を選択する手段、
必要に応じて前記選択された部品の大きさを設定する手段、
前記選択された部品を所望の位置に配置して印刷フォーマットを構成する手段、
前記部品に対し所望の機能を割り付ける手段、
必要に応じて前記部品に属性を設定する手段、
前記印刷フォーマット作成プログラムで作成された印刷フォーマットを表示装置に対し送信可能な手段、
として機能させるための印刷フォーマット作成プログラムであり、
前記外部機器の内部状態を取得するための処理と、
前記印刷フォーマットに設定された属性の解釈に関する処理と、
表示装置に設けられたメモリ領域において印刷画像データを描画するための処理と、
が前記外部機器から取得した情報に基づいて前記表示装置に接続された表示部に所定の表示画面を表示するための表示フォーマットを設定するのに必要な各々の処理と共通化されていることを特徴とする印刷フォーマット作成プログラム。
【請求項１７】
前記印刷フォーマット作成プログラムは、作成された印刷フォーマットおよび表示フォーマットが表示装置に設けられたメモリ領域に個別に管理されるよう構成してなることを特徴とする請求項１４から１６のいずれか記載の印刷フォーマット作成プログラム。
【請求項１８】
前記請求項１４から１７のいずれか記載の印刷フォーマット作成プログラムを記録したコンピュータ読み取り可能な記録媒体。
【発明の詳細な説明】
【０００１】
【発明の属する技術分野】
本発明は、表示装置、印刷方法、印刷フォーマット作成方法、印刷フォーマット作成プログラムおよびコンピュータ読取可能な記録媒体に関し、特に表示装置に接続されたプリンタで帳票を印刷する技術に関する。
【０００２】
【従来の技術】
表示装置は、通信を介して外部機器（ＰＬＣ）と接続され、外部機器の内部状態によって表示内容の変更を行うものである。
【０００３】
シーケンサなど、各種の制御を行う制御装置に接続されて動作状態の表示などを行う表示装置は、サーマルプリンタなどの印刷装置と接続して帳票など所定の内容を印刷できる印刷機能を備えている。これにより表示内容をプリンタで印刷して、紙で確認することができる。印刷機能には大別してテキスト印刷とハードコピー印刷とがある。
【０００４】
テキスト印刷機能により印刷された帳票の一例を図１に示す。テキスト印刷は、予め設定されたテキスト形式の印刷内容を印刷する技術であり、所定の開始条件により開始される。開始条件は、シーケンサで予め設定したトリガ条件に一致するときに印刷開始と設定したりスイッチで指定する方法などがある。印刷のフォーマットはコンピュータで印刷画面を作画するプログラムなどで設定される。印刷画面は、表示装置で表示される表示画面とは別に作成され管理されているため、印刷する内容とは異なる画面を表示しながら、印刷することが可能である。
【０００５】
またハードコピー印刷機能により印刷された印刷結果の一例を図２に示す。ハードコピー印刷は、表示装置で表示されている表示画面の内容をそのまま印刷する技術である。開始条件は同様にシーケンサで印刷開始のトリガ条件を予め設定する方法や、印刷開始スイッチを操作する方法などが利用できる。ハードコピー印刷の印刷内容は、表示装置の画面上に表示できるものすべてが対象となる。表示装置の画面がカラー表示可能で、かつカラー印刷可能なカラープリンタが接続されておればカラー印刷も可能である。
【０００６】
【発明が解決しようとする課題】
しかしながら、従来の表示装置では、上記いずれの印刷機能を使用しても印刷できるレイアウトやフォーマットが制限されており、ユーザが印刷画面を自由に設定することができないという問題があった。
【０００７】
テキスト印刷の場合、印刷できる内容は、接続されるプリンタに制限される。テキストベースでの印刷は、プリンタが内蔵する文字種、数字や記号、線種等のビットマップフォントに基づいて実行されるため、印刷可能な文字の種別やサイズ、フォントなどがプリンタによって制限を受ける。例えばプリンタに内蔵されていない外字や言語、異なるサイズでの印刷は困難であり、可能であったとしても非常に手間がかかる作業であった。また基本的にテキストベースの印刷は線、記号、数値、文字の組み合わせによる印刷であるため、表現できる内容にも限界があった。さらに印刷内容のレイアウトも制限され、印字が行単位、文字単位で行われるなどプリンタの仕様が規定されているため、印刷される帳票のレイアウトをユーザが自由に設定することができなかった。仮に帳票の印刷画面を設定できるとしても、表示装置での表示画面を作画する手順と印刷画面を作画する手順や出力形式が異なるため、印刷画面の作画時には別の知識が要求され、設定作業は手間がかかっていた。
【０００８】
一方、ハードコピー印刷の場合は表示装置で表示中の画面を印刷する性質のため、印刷の前後で印刷したい画面を表示装置の画面上に一旦表示させる必要がある。このため、現在表示器で表示中の画面と印刷したい画面が異なる場合には、印刷用の画面を表示させるために表示内容を切り替える必要があった。さらに印刷中は印刷したい画面を表示装置に表示させ続ける必要があるため、印刷の間は表示内容を変更することができず、表示装置としての操作が中断され使用できないという問題があった。さらにまた、ハードコピー印刷では表示装置の画面上に表示される内容と印刷される内容が同一であるため、レイアウトが表示部によって固定されるという問題もあった。一般に表示装置の表示部は横長であるため、印刷画面も横長の画面となり縦長の印刷ができず、縦方向に紙が送られることの多いプリンタでは印刷用紙を有効に利用できないという欠点があった。
【０００９】
さらに、印刷したいデータを表示装置からダウンロードしてコンピュータ側にデータを移し、コンピュータ側で印刷を行う方法もある。しかしながら、表示装置からテキストなどのデータをコンピュータ側と受け渡すために一旦メモリカードなどの記憶媒体にコピーする必要があり、またコンピュータ側で再度データをコピーし、さらにデータを成形して印刷することになるため余計な工数がかかり、帳票などを手軽に印刷する使用形態には不向きであった。
【００１０】
本発明は、従来のこのような問題点を解決するために開発されたものである。本発明の一の目的は、印刷装置に依存せずユーザが所望の印刷内容を設定可能な表示装置を提供することにある。
【００１１】
【課題を解決するための手段】
上記目的を解決するために、本発明の請求項１に記載される表示装置は、通信を介して外部機器と接続され、前記接続された外部機器の状態を表示するための表示部を備える。また外部のイメージデータ出力機器と接続されて所定の内容を出力可能としている。この表示装置は、前記表示部で表示させる表示画面データを保持するための第１のメモリ部と、前記イメージデータ出力機器で出力される印刷画面データを保持するための第２のメモリ部とを備える。
【００１２】
また、本発明の請求項２に記載される表示装置は、受信したイメージデータに基づいて出力可能な出力イメージデータ出力機器と接続可能で、外部機器とデータのやりとりを行うための通信部と、前記外部機器から取得した情報に基づいて所定の表示画面を表示するための表示部とを備えている。また前記外部機器から取得した情報に基づき所定の印刷画面を前記イメージデータ出力機器で印刷可能としている。この表示装置は、印刷画面のレイアウト情報を含む印刷フォーマット、および表示画面のレイアウト情報を含む表示フォーマットが予め設定されており、前記印刷フォーマットに基づいて印刷対象となるデータを合成し印刷画面データを描画し、さらに表示フォーマットに基づいて表示対象となるデータを合成し表示画面データを描画するための描画部と、前記表示部に表示画面を表示するために前記描画された表示画面データを保持する第１のメモリ部と、前記描画された印刷画面データを保持するための第２のメモリ部と、前記第２のメモリ部に保持された印刷画面データをイメージデータとして出力するためのイメージデータ出力部とを備えることを特徴とする。
【００１３】
さらに、本発明の請求項３に記載される表示装置は、外部機器とデータのやりとりを行うための通信部と、前記外部機器から取得した情報に基づいて所定の表示画面を表示するための表示部と、前記外部機器から取得した情報に基づき所定の印刷画面を印刷するための印刷部と、印刷画面のレイアウト情報を含む印刷フォーマット、および表示画面のレイアウト情報を含む表示フォーマットが予め設定されており、前記印刷フォーマットに基づいて印刷対象となるデータを合成し印刷画面データを描画し、さらに表示フォーマットに基づいて表示対象となるデータを合成し表示画面データを描画するための描画部と、前記表示部に表示画面を表示するために前記描画された表示画面データを保持する第１のメモリ部と、前記印刷部で印刷するために前記描画された印刷画面データを保持するための第２のメモリ部と、前記第２のメモリ部に保持された印刷画面データをイメージデータとして前記印刷部に出力するためのイメージデータ出力部とを備えることを特徴とする表示装置である。
【００１４】
さらにまた、本発明の請求項４に記載される表示装置は、請求項１から３のいずれかに記載される特徴に加えて、前記印刷画面データを表示部にて非表示とすることを可能としている。これよって、ハードコピー機能のように印刷時に印刷画面を表示部に表示させておく必要がなく、印刷の間中表示部を束縛して作業を中断する事態を回避できる。
【００１５】
さらにまた、本発明の請求項５に記載される表示装置は、請求項１から４のいずれかに記載される特徴に加えて、前記第１および第２のメモリ部が、それぞれ個別の記憶素子により構成されることを特徴とする。
【００１６】
さらにまた、本発明の請求項６に記載される表示装置は、請求項１から４のいずれかに記載される特徴に加えて、前記第１および第２のメモリ部が、同一の記憶素子を共有可能であることを特徴とする。
【００１７】
さらにまた、本発明の請求項７に記載される表示装置は、請求項１から４のいずれかに記載される特徴に加えて、前記第１および第２のメモリ部が、同一の記憶素子においてそれぞれ所定の領域に確保されることを特徴とする。画面表示データと印刷画面データを保持する領域は、それぞれ一の記憶素子の連続した領域で確保する他、ランダムな領域に確保することもできる。
【００１８】
さらに、本発明の請求項８に記載される印刷方法は、通信を介して外部機器と接続され、前記接続された外部機器から取得した情報に基づいて所定の表示画面を表示するための表示システムに備えられたイメージデータ出力機器で、前記外部機器から取得した情報と予め設定された印刷フォーマットに基づき所定の印刷画面を印刷する印刷方法に関する。この印刷方法は、前記表示システムで表示させる表示画面データを保持するための第１のメモリ部と個別に、前記イメージデータ出力機器で印刷される印刷画面データを保持するための第２のメモリ部において、前記表示システムが予め設定された印刷フォーマットと印字対象項目に基づいて印刷画面データを作成するステップと、前記表示システムが予め設定された印刷の属性に基づいて前記作成された印刷画面データをイメージデータに変換するステップと、前記表示システムが前記イメージデータを前記イメージデータ出力機器に送信するステップと、前記イメージデータ出力機器が受信した前記イメージデータに基づいて印刷を実行するステップとを備えることを特徴とする。
【００１９】
印刷フォーマットは印刷画面のレイアウト情報を含む。印刷の属性には、印刷画面のサイズや印刷の方向などが含まれる。これによって印刷画面の大きさや用紙の縦置き、横置きなどを任意に設定でき、例えば画面表示を横画面としつつ、印刷を縦画面とすることができる。
【００２０】
さらにまた、本発明の請求項９に記載される印刷方法は、請求項８に記載される特徴に加えて、前記印刷を実行するステップにおいて前記印刷画面データを表示部にて非表示とすることを可能とする。これよって、ハードコピー機能のように印刷時に印刷画面を表示部に表示させておく必要がなく、印刷の間中表示部を束縛して作業を中断する事態を回避できる。
【００２１】
さらにまた、本発明の請求項１０に記載される印刷方法は、請求項８または９に記載される特徴に加えて、前記印刷の属性が、予め設定された条件に合致するとき印字フォーマットを変更する条件であることを特徴とする。
【００２２】
これによって、条件に応じて印字結果を変更することが可能となる。例えば、ある印字対象項目が所定の値を超えた場合にその項目に網掛を付したり、色を変えるなど通常と異なる印字を行うことによって、所定値を超えたことが目立つようにすることが可能となる。
【００２３】
さらにまた、本発明の請求項１１に記載される印刷方法は、請求項８から１０のいずれかに記載される特徴に加えて、前記イメージデータ出力機器がサーマルプリンタであることを特徴とする。
【００２４】
さらにまた、本発明の請求項１２に記載される印刷方法は、請求項８から１０のいずれかに記載される特徴に加えて、前記イメージデータ出力機器がリムーバブルメディアであることを特徴とする。
【００２５】
さらにまた、本発明の請求項１３に記載される印刷フォーマット作成方法は、表示システムに備えられたイメージデータ出力機器に出力される印刷画面のフォーマットを設定するための印刷フォーマット作成方法であって、印刷フォーマットを構成する部品として、予め用意された部品の選択群から所望の部品を選択するステップと、必要に応じて前記選択された部品の大きさを設定するステップと、前記選択された部品を所望の位置に配置して印刷フォーマットを構成するステップと、前記部品に対し所望の機能を割り付けるステップと、必要に応じて前記部品に属性を設定するステップと、印刷の属性を設定するステップと、前記印刷フォーマット作成プログラムで作成された印刷フォーマットを保存し必要に応じて前記表示システムの記憶部に対し送信するステップとを備えることを特徴とする。
【００２６】
さらに、本発明の請求項１４に記載される印刷フォーマット作成プログラムは、表示システムに備えられたイメージデータ出力機器に出力される印刷画面の印刷フォーマットを設定するための印刷フォーマット作成プログラムであり、コンピュータを印刷フォーマットを構成する部品として、予め用意された部品の選択群から所望の部品を選択し、所望の位置に配置する手段、必要に応じて前記部品の大きさを調整する手段、前記部品に機能を割り当てる手段、前記部品の属性を設定する手段、印刷の属性を設定する手段として機能させるための印刷フォーマット作成プログラムである。このプログラムは、上記手段によって表示システムの表示部で表示させる表示画面の表示フォーマットを作成することが可能であることを特徴とする。
【００２７】
この印刷フォーマット作成プログラムは、印刷フォーマットと表示フォーマットを共通の手順で作成することができる。これによって作画のためのモジュールを共通化できるので、プログラムを作成する作業が簡単化できる。
【００２８】
さらにまた、本発明の請求項１５に記載される印刷フォーマット作成プログラムは、表示装置が外部機器およびイメージデータ出力機器とそれぞれ接続され、前記外部機器から取得した情報に基づいてイメージデータ出力機器で印刷される所望の印刷画面を構成する印刷フォーマットを設定するための印刷フォーマット作成プログラムであって、コンピュータに実行させる前記外部機器の内部状態を取得するための処理と、前記印刷フォーマットに設定された属性の解釈に関する処理と、表示装置に設けられたメモリ領域において印刷画像データを描画するための処理とが、前記外部機器から取得した情報に基づいて前記表示装置に接続された表示部に所定の表示画面を表示するための表示フォーマットを設定するのに必要な各々の処理と共通化されていることを特徴とする。
【００２９】
この印刷フォーマット作成プログラムは、表示装置の表示画面を作図する表示フォーマット作成プログラムとしても機能する。特にこのプログラムは、印刷フォーマットと表示フォーマットが表示装置内で共通の処理が可能な共通のデータ構造としている。描画手段を共通化することで、表示画面に対して行える特殊機能を印刷画面に対しても適用できる。
【００３０】
さらにまた、本発明の請求項１６に記載される印刷フォーマット作成プログラムは、表示装置が外部機器およびイメージデータ出力機器とそれぞれ接続され、前記外部機器から取得した情報に基づいてイメージデータ出力機器で印刷される所望の印刷画面を構成する印刷フォーマットを設定するための印刷フォーマット作成プログラムであって、コンピュータに印刷フォーマットを構成する部品として、予め用意された部品の選択群から所望の部品を選択する手段、必要に応じて前記選択された部品の大きさを設定する手段、前記選択された部品を所望の位置に配置して印刷フォーマットを構成する手段、前記部品に対し所望の機能を割り付ける手段、必要に応じて前記部品に属性を設定する手段、前記印刷フォーマット作成プログラムで作成された印刷フォーマットを表示装置に対し送信可能な手段として機能させるための印刷フォーマット作成プログラムであり、前記外部機器の内部状態を取得するための処理と、前記印刷フォーマットに設定された属性の解釈に関する処理と、表示装置に設けられたメモリ領域において印刷画像データを描画するための処理とが前記外部機器から取得した情報に基づいて前記表示装置に接続された表示部に所定の表示画面を表示するための表示フォーマットを設定するのに必要な各々の処理と共通化されていることを特徴とする。
【００３１】
さらにまた、本発明の請求項１７に記載される印刷フォーマット作成プログラムは、請求項１４から１６のいずれかに記載される特徴に加えて、前記印刷フォーマット作成プログラムは、作成された印刷フォーマットおよび表示フォーマットが表示装置に設けられたメモリ領域に個別に管理されるよう構成してなることを特徴とする。
【００３２】
さらにまた、本発明の請求項１８に記載されるコンピュータ読み取り可能な記録媒体は、請求項１４から１７のいずれかに記載される印刷フォーマット作成プログラムを記録したものである。記録媒体には、ＣＤ−ＲＯＭ、ＣＤ−Ｒ、ＣＤ−ＲＷやフレキシブルディスク、磁気テープ、ＭＯ、ＤＶＤ−ＲＯＭ、ＤＶＤ−ＲＡＭ、ＤＶＤ−Ｒ、ＤＶＤ−ＲＷ、ＤＶＤ＋ＲＷ、ＤＶＤ＋Ｒなどの磁気ディスク、光ディスク、光磁気ディスク、半導体メモリその他のプログラムを格納可能な媒体が含まれる。
【００３３】
【発明の実施の形態】
以下、本発明の実施例を図面に基づいて説明する。ただし、以下に示す実施例は、本発明の技術思想を具体化するための表示装置、印刷方法、印刷フォーマット作成方法、印刷フォーマット作成プログラムおよびコンピュータ読取可能な記録媒体を例示するものであって、本発明は表示装置、印刷方法、印刷フォーマット作成方法、印刷フォーマット作成プログラムおよびコンピュータ読取可能な記録媒体を以下のものに特定しない。また、特許請求の範囲に示される部材を、実施の形態の部材に特定するものでは決してない。また各図面が示す部材の大きさや位置関係などは、説明を明確にするため誇張していることがある。さらに、本発明を構成する各要素は、複数の要素を同一の部材で構成して一の部材で複数の要素を兼用する態様としてもよい。
【００３４】
本明細書において表示装置、印刷方法、印刷フォーマット作成方法、印刷フォーマット作成プログラムは、描画されたイメージデータを設定、表示、出力、印刷するシステムそのもの、ならびにこれに関連する入出力、表示、演算、通信その他の処理をハードウェア的に行う装置や方法に限定するものではない。ソフトウェア的に処理を実現する装置や方法も本発明の範囲内に包含する。例えば汎用の回路やコンピュータにソフトウェアやプログラム、プラグイン、オブジェクト、ライブラリ、アプレット、コンパイラ、モジュール、特定のプログラム上で動作するマクロなどを組み込んで印刷そのものあるいはこれに関連する処理を可能とした装置やシステムも、本発明の表示装置、印刷方法、印刷フォーマット作成方法、印刷フォーマット作成プログラムに該当する。また本明細書においてコンピュータには、汎用あるいは専用の電子計算機の他、ワークステーション、端末、携帯型電子機器、ＰＤＣやＣＤＭＡ、Ｗ−ＣＤＭＡ、ＦＯＭＡ（登録商標）などの携帯電話、ＰＨＳ、ＰＤＡ、ページャ、スマートフォンその他の電子デバイスも包含する。さらに本明細書においてプログラムとは、単体で使用されるものに限られず、特定のコンピュータプログラムやソフトウェア、サービスなどの一部として機能する態様や、必要時に呼び出されて機能する態様、ＯＳなどの環境においてサービスとして提供される態様、環境に常駐して動作する態様、バックグラウンドで動作する態様やその他の支援プログラムという位置付けで使用することもできる。
【００３５】
本発明の実施例において使用されるコンピュータなどの端末同士、およびサーバやこれらに接続される操作、制御、入出力、表示、各種処理その他のためのコンピュータ、あるいはプリンタなどその他の周辺機器との接続は、例えばＩＥＥＥ１３９４、ＲＳ−２３２ｘやＲＳ−４２２、ＵＳＢなどのシリアル接続、パラレル接続、あるいは１０ＢＡＳＥ−Ｔ、１００ＢＡＳＥ−ＴＸ、１０００ＢＡＳＥ−Ｔなどのネットワークを介して電気的に接続して通信を行う。接続は有線を使った物理的な接続に限られず、ＩＥＥＥ８０２．１１ｘなどの無線ＬＡＮやＢｌｕｅｔｏｏｔｈなどの電波、赤外線、光通信などを利用した無線接続などでもよい。さらにデータの交換や設定の保存などを行うための記録媒体には、メモリカードや磁気ディスク、光ディスク、光磁気ディスク、半導体メモリなどが利用できる。
【００３６】
また、本明細書において印刷とは、イメージデータ出力機器がイメージデータを印刷可能な印刷装置である場合は、イメージデータを紙などの物理的な媒体に転写することを指すが、イメージデータ出力機器がイメージデータを保存する記録媒体である場合は、イメージデータを記録媒体に転送することを意味する。転送されたイメージデータデータは、別途コンピュータなどにダウンロードすることによって印刷することもできる。したがって印刷とは、その名称に拘わらず印刷そのものの他、印刷などの出力可能な状態とするための前段階の処理をも含む。
【００３７】
さらに本明細書においてイメージデータの出力には、ビットマップ、ＪＰＥＧ、ＴＩＦＦ、ＧＩＦ、ＥＭＦ、ＰＮＧやプログラム固有の画像フォーマットによるデータによる出力の他、ページ記述言語での出力も含む。ページ記述言語（Ｐａｇｅ　Ｄｅｓｃｒｉｐｔｉｏｎ　Ｌａｎｇｕａｇｄ（ＰＤＬ））とは、特定のプリンタに依存しない形式で、プリンタ出力用のデータを記述することを目的として設計された言語処理系またはプリンタ制御コードである。一般にページ記述言語は、現実のページプリンタの解像度に依存しない、抽象化された高度な印刷命令を指定することができる。文字や書式設定、グラフィックス描画などの機能を備えており、この言語で書かれたデータをプリンタに送ることによって、プリンタ側でイメージを生成して出力する。ページプリンタはページ記述言語の命令を受け取ると、内部のアウトラインフォントなどから実際の印刷イメージを１ページ分計算してから印刷を開始する。このようにページ記述言語による出力に対応したプリンタであれば、グラフィック描画などを自由に印字することができ、本発明の意図するユーザ指定の任意の印刷画面を得ることができる。ページ記述言語としては生成されたページ記述データをプリンタ側で用意したインタープリタで解釈、印刷するポストスクリプト（登録商標）が普及している。生成されたポストスクリプトデータは、基本的に特定のデバイスには依存しておらず、任意のポストスクリプト対応プリンタから出力することが可能である。ポストスクリプト（ＰｏｓｔＳｃｒｉｐｔ）以外のページ記述言語としては、ＨＰ−ＰＣＬ、ＬＩＰＳ、ＥＳＣ／Ｐａｇｅ、ＮＰＤＬ、ＰＲＥＳＣＲＩＢＥなどがあるが、本発明はこれらのページ記述言語に特定するものでなく、ユーザの意図する印字結果を得られるデータ形式であればあらゆるものが利用できる。
【００３８】
表示装置はイメージデータ出力機器、ＰＬＣなどと接続され表示システムを構成する。図３に、本発明の一実施例に係る表示装置を中心とする表示システム構成のブロック図を示す。ＰＬＣ９は表示装置１に接続される外部機器の一であって、これに接続された各種の制御対象機器を制御する。ＰＬＣ９で取得した情報を表示装置１で表示させ、モニタする。図３に示す表示装置１は、表示部２と、描画部３と、メモリ部４と、ＰＬＣ通信部５と、出力機器通信部６と、ＰＣ通信部７と、制御部８を備える。
【００３９】
表示部２は、表示装置１に接続されるＰＬＣ９から送られる各情報を表示するための表示手段であり、表示装置１に組み込まれたＬＣＤやＣＲＴなどのディスプレイである。またこの表示部２は、タッチパネルとすることによりユーザによる入力が可能な入力手段を兼ねている。表示部２はＰＬＣ９のシーケンスプログラムを表すラダー図を構成する素子に対応する、ＰＬＣ９内の素子の状態（動作の状態を示すデータ）を、入力手段が受け入れた操作に従って表示する。
【００４０】
ＰＬＣ通信部５は、ＰＬＣ９との通信を行う。同様に出力機器通信部６はイメージデータ出力機器１０との通信を、ＰＣ通信部７はコンピュータ１１との通信を行う。なお、これらの通信部は一の部材で複数の通信部を兼ねることもできる。また半導体メモリなど媒体を介して物理的にデータをやりとりすることもできる。
【００４１】
制御部８は、表示部２、描画部３、メモリ部４、通信部を制御するためのものであり、ＣＰＵやＬＳＩ、ＩＣ等で構成される。
【００４２】
この表示装置１は、予め接続すべきＰＬＣ９のシーケンスプログラムを表すラダー図（図示せず）を構成する入力リレー、出力リレー、タイマ、カウンタ等の素子の内、必要な素子の状態を、タッチパネルの操作により表示出来るように、コンピュータ１１によりタッチパネルの表示画面データを作成する。コンピュータ１１には表示画面を構成する表示フォーマットを作成する表示フォーマット作成プログラムがインストールされている。このプログラムにより作成された表示フォーマットはＰＣ通信部７を通じて表示器に送信され、メモリ部４に記憶される。上述した必要な素子については、作成した画面データ中に素子の存在位置を示すコードを記憶させる。
【００４３】
表示部２に表示される表示画面をタッチパネルの入力手段として、ユーザは所望の操作を行う。制御部８は、記憶された表示フォーマットに基づいてソフトスイッチなどを描画部３にて描画し表示画面を構成し、作成された表示画面を表示部２のディスプレイに表示させる。表示画面のソフトスイッチ等をタッチパネルで操作すると、表示画面データにより得られる、ラダー図及び表示装置１における素子の存在位置を示すコードが、ＰＬＣ通信部５を介してＰＬＣ９に送信される。ＰＬＣ９は、送られたコードに対応する、ＰＬＣ９内の素子の動作の状態を、ＰＬＣ通信部５を介して制御部８に返す。制御部８は、送られた素子の状態を、その名称情報に対応させて、表示部２のディスプレイに表示させる。このようにして表示装置１はＰＬＣ９に接続された外部機器の運転画面やステータス情報といった様々な情報を表示部２に表示させる。
【００４４】
一方、この表示装置１は表示画面と個別に印刷画面を保持し出力することができる。メモリ部４は表示画面用のデータと印刷画面用のデータを個別に記憶できるよう、第１のメモリ部と第２のメモリ部に区別されている。これらのメモリ部は、物理的に個別の記憶素子を用いてもよいし、図３の例のように同一の記憶素子において別々のメモリ領域を確保して区別しても良い。図３の例では、領域Ａに画面表示データを、領域Ｂに印刷画面データを保持させている。これらのメモリ領域は、連続した領域で確保する他、ランダムな領域に確保することもできる。一のメモリ内で画面表示データと印刷画面データをランダムに保持しているときは、それぞれのメモリ領域には印刷画面データか表示画面データかを区別する何らかの手段を付加する。例えば印刷画面用のデータが格納されるアドレスには、印刷画面用であることを示すフラグなどの識別子が付加される。
【００４５】
このようにして保持された印刷画面データを出力するために、表示装置１にはイメージデータ出力機器１０が外部に接続されている。イメージデータ出力機器１０は、出力機器通信部６から出力される印刷画面のイメージデータを受け取り、何らかの手段で出力する。イメージデータ出力機器１０は、サーマルプリンタ、インクジェットプリンタ、ページプリンタなどの印刷装置が利用できる。印刷装置は、イメージデータに基づいて印刷が可能なプリンタであれば足り、この機能は一般的な機能として多くのプリンタで備えられている。これによりテキストデータに基づく印刷に制限を受けることなく、自由度の高い印刷が可能となる。ただ、プリンタにテキストデータに基づく印刷機能があっても良いことは言うまでもない。
【００４６】
また、イメージデータ出力機器１０にはメモリカードなどのリムーバブルメディアも含まれる。リムーバブルメディアは脱着可能な記録媒体である。この場合は印刷画面のイメージデータはビットマップデータとしてファイルに保存される。ファイルに保存されたイメージデータは、記録媒体を介してプリンタに接続されたコンピュータ１１あるいはプリンタに送られる。そして記録媒体からイメージデータをダウンロードすることによってこれらの機器により印刷が実行される。特にメモリカードを直接挿入するスロットを備えるプリンタも開発されており、これによればコンピュータを使用することなく直接プリンタのカードスロットにメモリカードを挿入して印刷を行うことができる。
【００４７】
さらに以上の例では表示装置１にプリンタなどのイメージデータ出力機器１０をケーブルや無線などの手段で外部接続していたが、表示装置自体に印刷機能などのイメージデータ出力機能を持たせても良い。例えばサーマルプリンタ、ポストスクリプトプリンタなどの印刷部を表示装置に内蔵あるいは組み込んだり、印刷部を脱着、交換可能なユニット状として装着することもできる。
【００４８】
印刷画面を作成するレイアウト情報を含む印刷フォーマット、および表示画面を作成するレイアウト情報を含む表示フォーマットは、予め印刷フォーマット作成プログラムおよび表示フォーマット作成プログラムにて作成される。これらのプログラムは、コンピュータ１１にインストールされ、実行される。ただ、本発明は一のプログラムに印刷フォーマット作成機能および表示フォーマット作成機能を持たせている。特に本発明では印刷画面をテキストデータをベースとした印刷でなく、イメージデータをベースとした印刷を実現している。イメージデータで描画、表示される表示画面と同様に印刷画面もイメージデータとして扱うことで、同一のプログラムに印刷画面用の印刷フォーマット作成機能を実装することが可能となり、一のプログラムで表示フォーマットおよび印刷フォーマットが作成できる。このことは、プログラムの設計において共通のデータ構造を採用することが可能となり、機能の共通化が図られプログラムの設計および実行面で有利となる。またユーザにとっても、統一された体系で作業が可能となり個別の操作体系をそれぞれ習得する必要がなくなり、習熟も容易となる。
【００４９】
図４に、コンピュータ１１上の印刷フォーマット作成プログラムで設定された印刷フォーマットおよび表示フォーマットを表示装置１に送信する様子を示す。印刷フォーマット作成プログラムで印刷フォーマットおよび表示フォーマットを設定するには、図５のようなユーザインターフェース画面にて行う。図５に示す印刷フォーマット作成プログラムのユーザインターフェース画面は、右側に設けられた作業ウインドウ１２と左側に設けられたフォルダウィンドウ１３で構成され、上部には各種ツールバーが配置される。印刷画面を作成するには、フォルダウィンドウ１３に表示されるツリーから「帳票画面」の「新規画面」を選択すると、帳票画面のツリーに新たなファイルが作成され、作業ウィンドウに空白の画面が表示される。ここで印刷画面を構成する部品の候補群の内で、印刷画面に配置したい部品をツールバーから選択あるいはメニュー画面から指定する。次に選択した部品を配置したい位置を作業ウィンドウ中で指定する。マウスで部品の四隅の内左上および右下となる位置を指定すると、指定された位置に指定された大きさで部品が描画される。これによって印刷フォーマット画面の所定の位置に、所定の大きさで部品を配置することができる。あるいはドラッグアンドドロップ操作によってツールバーから直接部品をドラッグすると共に、作業ウィンドウの所望の位置にドロップする方法としても良い。部品の大きさは、四隅に表示されるハンドルを調整することによって任意のサイズに変更できる。このようにして配置された部品をダブルクリックすると、この部品に割り付ける機能の設定画面が表れる。さらに部品上でマウスを右クリックすることにより、部品毎に属性を設定、変更することも可能である。このようにして、印刷フォーマットは表示フォーマットと同様な手順で作成する。
【００５０】
表示フォーマットと印刷フォーマットは、それぞれに画面属性データが設定される。印刷フォーマットの画面属性データには、表示フォーマットとは別の画面属性データが設定される。印刷フォーマットの画面属性データは、印刷画面の印刷方向、縦横情報、印刷画面サイズ等の印刷の属性である。印刷の属性の設定は、図６に示す画面属性設定の画面から行う。この画面で、印刷開始トリガビットデバイス、印刷方向、カラー又は白黒のプリンタ色モードの設定、印刷品質などの印刷の属性を選択する。このように印刷フォーマットには表示フォーマットと別の画面属性データが設定されるので、表示画面とは独立して印刷画面を制御することが可能となる。例えば図４、図７に示すように、表示画面と印刷画面で画面の縦横方向を変えることができる。
【００５１】
印刷フォーマットに基づく印刷画像データはテキストデータではなくイメージデータとして出力されるため、イメージイメージデータが出力できるプリンタであれば、プリンタによって決まる文字形状、フォントや言語種別に依存しないというメリットがある。
【００５２】
さらにレイアウトの制限も低減される。表示画面をそのまま印刷するハードコピーでは、図２の例に示すように表示部２での表示される表示画面に合わせて画面方向や画面サイズが固定されてしまう。これに対して、本発明の実施例に係る印刷画面ではそのような制限がなく表示画面と独立して設定できるため、用紙に印刷できる範囲内で自由に縦横などの印刷方向やサイズを設定することができるのである。特に表示部２は一般に横長であるのに対し、ロール紙に印刷するサーマルプリンタは縦方向に紙送りがされるため、ハードコピーでは印字スペースが非効率になるという問題があったが、本発明によって印刷方向を自由に設定できるため、縦方向の印刷フォーマットを設定することで効率的なレイアウト配置が可能となる。
【００５３】
このようにして作成された印刷フォーマットおよび表示フォーマットの画面データは、いずれも表示装置１が解釈できるデータ形式にコンピュータ１１上で変換される。変換されたデータは表示装置１にダウンロードされ、表示装置１のメモリ部４に記憶される。いずれのデータ形式も、表示装置１内で共通の処理が行えるよう共通のデータ構造となっている。
【００５４】
次に、イメージデータが表示部２およびイメージデータ出力機器１０に出力されるまでの流れを図７に基づいて説明する。この図に示すように、コンピュータ１１で作成され表示装置１のメモリ部４に記憶された表示フォーマットと印刷フォーマットが、外部機器から取得した情報に基づいて印刷対象のデータと合成されて、描画部３によりそれぞれ専用のメモリ領域Ａ、Ｂで表示画面、印刷画面に描画される。描画部３では画面データの解釈に関する処理、ＰＬＣ９の内部状態取得に関する処理、表示装置１内部のメモリ領域への描画処理といった処理が共通となっており、一の描画部３で共通して処理される。描画されたデータは表示部２でイメージデータに変換されて、表示画面は表示部２に、印刷画面は出力機器通信部６を介してイメージデータ出力機器１０に、それぞれ出力される。その際、メモリ部４においては表示画面データと印刷画面データが別々のメモリ領域に記憶、管理されているため、これらの出力は独立して行うことができる。言い換えると、ハードコピー印刷のように印刷を実行するためにわざわざ印刷用の画面表示に切り替える必要がない。またハードコピー印刷では、印刷画面を出力中に表示部２の表示画面を別の画面に変更することができなかったが、本発明の上記実施例では印刷用と表示用の画面データが独立しているため、印刷中に表示画面を切り替えても印刷画面に影響を与えることがなく、印刷中でも表示画面を自由に変更でき表示装置１としての動作が中断されることがない。
【００５５】
ただ、必要に応じて印刷画面を表示部に表示させてもよい。例えば印刷画面のイメージをユーザが確認したいことがあり、印刷プレビュー画面を表示部に表示させることができる。
【００５６】
このようにしてイメージデータ出力機器１０であるプリンタに印刷された印字結果を図８に示す。図８において、（ａ）はテキストベースの印刷結果を、（ｂ）はイメージデータに基づく印刷結果を示す。この例では「本日の生産目標と実績」を従来の帳票印刷と本発明の実施例に係るイメージデータを用いた帳票印刷で比較している。図より明らかにイメージデータによる出力の方が表現力豊かであり、綺麗で説得力のある印刷を得ることができる。特に本発明の実施例に係る（ｂ）の例では、帳票を画像として印刷するため様々な部品要素を自由なレイアウトで配置できる。また文字にも様々な属性をそれぞれ設定することができ、フォントの種別、文字サイズ、斜字体、下線、太字、中抜き、影付きなどをプリンタ側のフォントの制限を受けることがなく自由に設定できる。さらに、文字データであってもイメージデータとして扱えるため、プリンタが対応していない言語、例えば日本語以外のハングルや中国語などでも印刷でき、その他様々な絵や写真などのグラフィックを追加して印刷することもできる。
【００５７】
また本発明の実施例によれば、印刷画面の描画手段が表示画面と共通であるため、表示画面に対して実行できる特殊な機能を印刷画面にも適応できるというメリットもある。例えば、実績が目標を下回った項目については数値の色や文字装飾を変更する、網掛を加えるなどして目立たせることができる。図８（ｂ）の例では、実績に対する目標値を各項目毎に設定し、実績が目標値を下回った項目については網掛表示をするように設定しており、目立つようにしている。さらに条件を複数設定することもでき、例えば目標値を３段階に設定して、Ａ以上は赤、Ｂ以上は黄、Ｃ以上は青といったように値のとり得る範囲によって文字サイズやフォント、色を変える設定とすることも可能である。このような設定が可能であるため、ユーザはどの項目がどのような意味を表しているかを視覚的に把握できる。例えば本発明を順番待ち用の整理券発行機に応用した場合、待ち人数が３人以下の場合は青色、４人から８人までは黄色、９人以上は赤色で印刷することにより、ユーザは現在の混み具合を印刷結果から容易に把握することができる。このように、従来のテキスト主体の印刷から、よりグラフィカルな印刷が可能となる。
【００５８】
【発明の効果】
以上説明したように、本発明の表示装置、印刷方法、印刷フォーマット作成方法、印刷フォーマット作成プログラムおよびコンピュータ読取可能な記録媒体は、イメージデータ出力機器の仕様に制限されることなく印刷画面を任意に設定できるという特長を実現する。それは、本発明の表示装置、印刷方法、印刷フォーマット作成方法、印刷フォーマット作成プログラムおよびコンピュータ読取可能な記録媒体が、テキストベースの印刷でなく、イメージデータをベースにした印刷が可能だからである。従来はテキストが主体の印刷であるため、プリンタ固有のフォントに制限されていたが、本発明によればイメージデータで印刷できるので、プリンタの機能に制限されることなくアウトラインフォントや外字も使えるというメリットがある。さらにレイアウトも従来は行単位での印刷に限られていたが、本発明によれば任意のレイアウトが可能で、横置き、縦置きなどの印刷属性をユーザが自由に設定できる。特に、本発明は印刷装置に依らず様々な言語でも印刷できるため、特定の国や言語対応の仕様の印刷装置を用意する必要がなく、一の印刷装置で様々な国の言語にて帳票などを印刷できるという利点を備える。
【００５９】
印刷画面は、表示装置の表示部に表示される表示画面と共通のデータ構成とできるので、印刷画面のベースとなる印刷フォーマットは、表示装置の表示部に表示される表示画面の表示フォーマットを作成するプログラムで作成でき、また表示器内部の描画処理においても印刷画面用の描画処理を表示画面用と共通化できるため、プログラムや装置の回路設計なども別途行う必要がなく簡素化できるというメリットがある。さらに共通のプログラムで作図できることは、表示フォーマットと同じ手順で印刷フォーマットの作成を可能とし、ユーザがそれぞれ個別の操作体系を習得することもなく、使い易さの面でも有利となる。
【００６０】
さらに、本発明の表示装置、印刷方法、印刷フォーマット作成方法、印刷フォーマット作成プログラムおよびコンピュータ読取可能な記録媒体は、印刷画面用のデータを、表示画面用のデータとは別のメモリ領域に置いている。このように表示中の画面用とは別に、非表示の画面として印刷画面用のメモリ領域を確保しているため、印刷中でも表示部の表示画面を変更することができ、表示装置としての動作が中断されることなく利用できるというメリットも享受できる。
【図面の簡単な説明】
【図１】テキスト印刷機能により印刷された帳票の一例を示すイメージ図である。
【図２】ハードコピー印刷機能により印刷された印刷結果の一例を示すイメージ図である。
【図３】本発明の一実施例に係る表示装置を構成するブロック図を示す。
【図４】本発明の一実施例に係る印刷フォーマット作成プログラムで設定された印刷フォーマットおよび表示フォーマットを表示装置に送信する様子を示す概念図である。
【図５】本発明の一実施例に係る印刷フォーマット作成プログラムのユーザインターフェース画面を示すイメージ図である。
【図６】本発明の一実施例に係る印刷フォーマット作成プログラムにおいて印刷の属性設定画面を示すイメージ図である。
【図７】イメージデータが表示部およびイメージデータ出力機器に出力されるまでの流れを示す概念図である。
【図８】テストベースのデータ、およびイメージベースのデータをそれぞれ印刷した印字結果を示すイメージ図である。
【符号の説明】
１・・・表示装置
２・・・表示部
３・・・描画部
４・・・メモリ部
５・・・ＰＬＣ通信部
６・・・出力機器通信部
７・・・ＰＣ通信部
８・・・制御部
９・・・ＰＬＣ
１０・・・イメージデータ出力機器
１１・・・コンピュータ
１２・・・作業ウインドウ
１３・・・フォルダウィンドウ
【図１】
2004094408.tif 000003
【図２】
2004094408.tif 000004
【図３】
2004094408.tif 000005
【図４】
2004094408.tif 000006
【図５】
2004094408.tif 000007
【図６】
2004094408.tif 000008
【図７】
2004094408.tif 000009
【図８】
2004094408.tif 000010